(57)【要約】【課題】撮影時において、収音機能よりも手振れ補正機能を優先する撮影モードと、手振れ補正機能よりも収音機能を優先する撮影モードとのいずれかを選択することができる撮像装置を提供する。【解決手段】レンズを含む光学系と、光学系を介して被写体像を撮像する撮像部と、撮像時の手振れを補正する手振れ補正部と、音声を収音する収音部と、光学系、撮像部、手振れ補正部、及び収音部を制御する制御部とを備える。制御部は、撮影モードとして、第１モード及び第２モードのいずれかを選択して実行し、第１モードを選択した場合は、第２モードよりも収音部により収音される音声の品質を低下させる制御を行い、第２モードを選択した場合は、第１モードよりも手振れ補正部による手振れ補正機能を低下させる制御を行う。【選択図】図４
2017195558.tif 000002
【特許請求の範囲】
【請求項１】
レンズを含む光学系と、
前記光学系を介して被写体像を撮像する撮像部と、
撮像時の手振れを補正する手振れ補正部と、
音声を収音する収音部と、
前記光学系、前記撮像部、前記手振れ補正部、及び前記収音部を制御する制御部とを備え、
前記制御部は、
撮影モードとして、第１モード及び第２モードのいずれかを選択して実行し、
前記第１モードを選択した場合は、前記第２モードよりも前記収音部により収音される音声の品質を低下させる制御を行い、
前記第２モードを選択した場合は、前記第１モードよりも前記手振れ補正部による手振れ補正機能を低下させる制御を行う、
撮像装置。
【請求項２】
前記手振れ補正部は、前記撮像部を光軸に垂直な面内で移動させることによって手振れを補正する、
請求項１に記載の撮像装置。
【請求項３】
前記第１モードにおいて、前記音声の品質を低下させる制御は、音声信号の周波数特性の平坦性を低下させる制御、音声信号の指向性を無指向化させる制御、及び音声信号のゲインフィルタ処理がリニアリティを確保しない処理となるような制御のうちの少なくとも１つである、
請求項１に記載の撮像装置。
【請求項４】
前記制御部は、使用者の選択に基づいて、前記第１モード及び前記第２モードのいずれかを実行する、
請求項１に記載の撮像装置。
【発明の詳細な説明】
【技術分野】
【０００１】
本開示は、手振れ補正機能及び収音機能を備えた撮像装置に関する。
【背景技術】
【０００２】
特許文献１は、動画像を撮影する撮像手段と、動画像の撮影時の手振れを補正する手振れ補正手段と、動画像の撮影時に複数のマイクロフォンにより収音された音声信号と複数のマイクロフォンの配置情報とに基づいて動画像上における音源位置を検出する音源位置検出手段と、手振れ補正手段により補正された手振れ補正量に応じて動画像上において検出された音源位置の表示位置を補正する表示位置補正手段と、手振れ補正手段により補正された動画像を表示器に表示するとともに、表示位置補正手段により補正された音源位置を動画像上に表示する表示処理手段とを具備する撮像装置を開示する。
【先行技術文献】
【特許文献】
【０００３】
【特許文献１】特開２０１３−１４１０９０号公報
【発明の概要】
【発明が解決しようとする課題】
【０００４】
本開示は、収音機能よりも手振れ補正機能を優先する撮影モードと、手振れ補正機能よりも収音機能を優先する撮影モードとのいずれかを選択して撮影することができる撮像装置を提供する。
【課題を解決するための手段】
【０００５】
本開示の撮像装置は、レンズを含む光学系と、光学系を介して被写体像を撮像する撮像部と、撮像時の手振れを補正する手振れ補正部と、音声を収音する収音部と、光学系、撮像部、手振れ補正部、及び収音部を制御する制御部とを備える。制御部は、撮影モードとして、第１モード及び第２モードのいずれかを選択して実行し、第１モードを選択した場合は、第２モードよりも収音部により収音される音声の品質を低下させる制御を行い、第２モードを選択した場合は、第１モードよりも手振れ補正部による手振れ補正機能を低下させる制御を行う。
【発明の効果】
【０００６】
本開示の撮像装置によれば、収音機能よりも手振れ補正機能を優先する撮影モードと、手振れ補正機能よりも収音機能を優先する撮影モードとのいずれかを選択して撮影することができ、使用者の要求に応じた撮影を行うことができる。
【図面の簡単な説明】
【０００７】
【図１】実施の形態１に係るデジタルカメラの正面斜視図
【図２】実施の形態１に係るデジタルカメラの背面図
【図３】実施の形態１に係るデジタルカメラの電気的構成を示すブロック図
【図４】実施の形態１に係るデジタルカメラの音声信号の周波数フィルタ処理選択の動作の流れを示すフローチャート
【図５】実施の形態１に係るデジタルカメラの音声信号の指向性合成処理の例を示す図
【図６】実施の形態１に係るデジタルカメラの音声信号の指向性合成処理選択の動作の流れを示すフローチャート
【図７】実施の形態１に係るデジタルカメラの音声信号のゲインフィルタ処理の例を示す図
【図８】実施の形態１に係るデジタルカメラの音声信号のゲインフィルタ処理選択の動作の流れを示すフローチャート
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために、提供されるのであって、これらにより特許請求の範囲に記載の主題を限定することは意図されていない。
【００１０】
〔実施の形態１〕
以下、図１〜８を用いて、本発明の実施の形態１について説明する。以下の説明では、通常姿勢（以下、横撮り姿勢ともいう）の撮像装置を基準として、被写体に向かう方向を「前方」、被写体の反対に向かう方向を「後方」、鉛直上方を「上方」、鉛直下方を「下方」、被写体に正対した状態における右向きを「右方」、被写体に正対した状態における左向きを「左方」、と表現する。
【００１１】
〔１．構成〕
図１は、実施の形態１に係るデジタルカメラ１００の正面斜視図である。デジタルカメラ１００は、デジタルカメラボディ１０２と交換レンズ３０１とを備える。また、デジタルカメラ１００は、その上面にレリーズ釦１８１、電源スイッチ１８３およびモードダイヤル１８４などの操作部１８０を備える。
【００１２】
また、デジタルカメラ１００は、その上面にマイクロホン部１１１を備える。マイクロホン部１１１は、マイクロホン１１１Ｌおよびマイクロホン１１１Ｒの２つのマイクロホンを含む。このうち、マイクロホン１１１Ｌおよびマイクロホン１１１Ｒはデジタルカメラボディ１０２の上面に、左右方向に並んで位置する。また、デジタルカメラ１００は、その側面にＨＤＭＩ（登録商標）出力端子１０５を備える。
【００１３】
図２は、実施の形態１に係るデジタルカメラ１００の背面図である。デジタルカメラ１００は、その背面に中央釦１８５および十字釦１８６などの操作部１８０を備える。また、デジタルカメラ１００は、その背面に表示部１９０およびビューファインダ１９１を備える。
【００１４】
図３は、実施の形態１に係るデジタルカメラ１００の電気的構成を示すブロック図である。デジタルカメラ１００は、デジタルカメラボディ１０２と交換レンズ３０１とを備える。デジタルカメラボディ１０２は、ＣＣＤイメージセンサ１４３、ＡＦＥ（アナログ・フロント・エンド）１４４、音声入力系１１０、デジタル画像・音声処理部１２０、コントローラ１３０、ＢＩＳ処理系１４９、ＲＡＭ１５０、外部記憶媒体１６０、ＲＯＭ１７０、操作部１８０、表示部１９０、ビューファインダ１９１、ボディマウント３４０およびＨＤＭＩ出力端子１０５を備える。
【００１５】
デジタルカメラ１００は、外部から得られた情報から画像情報および音声信号を生成する。画像情報は、画像入力系１４０によって生成される。音声信号は、音声入力系１１０によって生成される。生成された画像情報および音声信号は、Ａ／Ｄ変換され、デジタル画像・音声処理部１２０で各処理が施された後、メモリカード等の外部記憶媒体１６０に記録される。生成された画像情報および音声信号は、Ａ／Ｄ変換され、デジタル画像・音声処理部１２０で各処理が施された後、ＨＤＭＩ出力端子１０５から出力される。外部記憶媒体１６０に記録された画像情報は、使用者による操作部１８０の操作を受け付けて、表示部１９０および／またはビューファインダ１９１に表示される。外部記憶媒体１６０に記録された画像情報および音声信号は、ＨＤＭＩ出力端子１０５から出力される。
【００１６】
以下、図１から図３に示す各部の詳細を説明する。
【００１７】
画像入力系１４０は、交換レンズ３０１、ＣＣＤイメージセンサ１４３およびＡＦＥ１４４を備え、ＣＣＤイメージセンサ１４３およびＡＦＥ１４４はデジタルカメラボディ１０２に設けられている。
【００１８】
また、デジタルカメラボディ１０２は、ＢＩＳ機能（ＣＣＤイメージセンサ１４３のシフトにより手振れを補正する機能）を実現する構成として、ＢＩＳ処理系１４９を備える。ＢＩＳ処理系１４９は、デジタルカメラボディ１０２のぶれを検出するジャイロセンサ１４８と、ジャイロセンサ１４８の検出結果に基づき、ぶれ補正信号の生成とぶれ補正処理を制御するＢＩＳ処理部１４７とをさらに備える。さらに、デジタルカメラボディ１０２は、ＣＣＤイメージセンサ１４３を移動させるＣＣＤ駆動部１４５と、ＣＣＤイメージセンサ１４３の位置を検出する位置センサ１４６とを備える。ＣＣＤ駆動部１４５は、例えば、マグネットと平板コイルとで実現可能である。位置センサ１４６は、光学系の光軸に垂直な面内におけるＣＣＤイメージセンサ１４３の位置を検出するセンサである。位置センサ１４６は、例えば、マグネットとホール素子で実現可能である。ＢＩＳ処理部１４７は、ジャイロセンサ１４８からの信号及び位置センサ１４６からの信号に基づき、ＣＣＤ駆動部１４５を制御して、デジタルカメラボディ１０２のぶれを相殺するようにＣＣＤイメージセンサ１４３を光軸に垂直な面内でシフトさせる。ここで、デジタルカメラボディ１０２に備える撮像センサはＣＣＤイメージセンサとしたが、ＣＭＯＳイメージセンサ等別の撮像センサを用いてもよい。また、ＣＣＤ駆動部１４５はステッピングモータ、超音波モータ等そのほかのアクチュエータを用いても構わない。尚、アクチュエータにステッピングモータを用いた場合、オープン制御が可能となり、それに伴って、位置センサを不要とすることも可能である。ＢＩＳ処理系１４９によりＣＣＤイメージセンサ１４３の位置がシフトする場合、その動きが速いときに、また大きいときに、発生する音と振動とが大きくなる。また、その動きの周波数特性（手振れ振動に対するＢＩＳ機能の周波数応答性）が平坦であるほど、発生する音と振動とが大きくなる。
【００１９】
交換レンズ３０１は、複数のレンズを有する光学系である。交換レンズ３０１は、レンズコントローラ３２０、レンズマウント３３０、フォーカスレンズ３１０、ＯＩＳレンズ３１８およびズームレンズ３１２を含む光学系、フォーカスレンズ駆動部３１１、ズームレンズ駆動部３１３、絞り３１６、絞り駆動部３１７、操作リング３１５、ＯＩＳ制御部３１９、ＤＲＡＭ３２１、フラッシュメモリ３２２等を備えている。
【００２０】
レンズコントローラ３２０は、交換レンズ３０１全体を制御する。レンズコントローラ３２０は、操作リング３１５の使用者による操作を受け付けて、ズームレンズ３１２を駆動させるよう、ズームレンズ駆動部３１３を制御することができる。レンズコントローラ３２０は、フォーカスレンズ３１０を駆動させるよう、フォーカスレンズ駆動部３１１を制御することができる。レンズコントローラ３２０は、ＯＩＳレンズ３１８を駆動させるよう、ＯＩＳ制御部３１９を制御することができる。レンズコントローラ３２０は、絞り３１６を駆動させるよう、絞り駆動部３１７を制御することができる。
【００２１】
レンズコントローラ３２０は、ＤＲＡＭ３２１や、フラッシュメモリ３２２に接続されており、必要に応じて情報を書き込んだり、読み出したりすることができる。また、レンズコントローラ３２０は、レンズマウント３３０を介して、コントローラ１３０と通信することができる。尚、コントローラ１３０は、ハードワイヤードな電子回路で構成してもよいし、プログラムを用いたマイクロコンピュータなどで構成してもよい。
【００２２】
レンズマウント３３０は、デジタルカメラボディ１０２が備えるボディマウント３４０と相俟って、交換レンズ３０１およびデジタルカメラボディ１０２を機械的および電気的に接続するための接続部材である。交換レンズ３０１とデジタルカメラボディ１０２とが機械的および電気的に接続されると、レンズコントローラ３２０と、コントローラ１３０とは通信可能な状態となる。
【００２３】
ＤＲＡＭ３２１は、レンズコントローラ３２０による各種制御の際のワークメモリとして使用される。また、フラッシュメモリ３２２は、レンズコントローラ３２０による各種制御の際に使用するプログラムやパラメータ、レンズデータ等を格納している。
【００２４】
フォーカスレンズ３１０は、交換レンズ３０１の光学系に入射されＣＣＤイメージセンサ１４３上に形成される被写体像のフォーカス状態を変化させるためのレンズである。フォーカスレンズ３１０のレンズ構成は何枚でも何群でもよい。フォーカスレンズ駆動部３１１は、レンズコントローラ３２０から通知される制御信号に基づいてフォーカスレンズ３１０を光学系の光軸に沿って進退するように駆動する。尚、フォーカスレンズ駆動部３１１は、例えばステッピングモータ、ＤＣモータ、超音波モータなどにより実現できる。
【００２５】
ズームレンズ３１２は、交換レンズ３０１の光学系で形成される被写体像の倍率を変化させるためのレンズである。ズームレンズ３１２のレンズ構成は何枚でも何群でもよい。ズームレンズ駆動部３１３は、レンズコントローラ３２０から通知される制御信号に基づいてズームレンズ３１２を光学系の光軸に沿って進退するように駆動する。尚、ズームレンズ駆動部３１３は、例えばステッピングモータ、ＤＣモータ、超音波モータなどにより実現できる。ＯＩＳレンズ３１８は、交換レンズ３０１の光学系で形成される被写体像のぶれを補正するためのレンズである。具体的には、ＯＩＳレンズ３１８は、デジタルカメラ１００のぶれによって生じる被写体像のぶれを補正する。ＯＩＳレンズ３１８は、デジタルカメラ１００のぶれを相殺する方向に移動することにより、ＣＣＤイメージセンサ１４３と被写体像との相対的なぶれを小さくする。具体的には、ＯＩＳレンズ３１８は、デジタルカメラ１００のぶれを相殺する方向に移動することにより、ＣＣＤイメージセンサ１４３上の被写体像のぶれを小さくする。ＯＩＳレンズ３１８は、１枚又は複数枚のレンズで構成される。ＯＩＳ制御部３１９は、光学系の光軸に垂直な面内でＯＩＳレンズ３１８を駆動する。
【００２６】
絞り３１６は、複数の機械羽根を開閉可能に構成されている。絞り３１６は、交換レンズ３０１の光学系に入射する光量を調節することができる調節部材である。絞り駆動部３１７は、レンズコントローラ３２０から通知される制御信号に基づいて、絞り３１６の機械羽根の開閉状態を変化させるよう駆動する。尚、絞り駆動部３１７は、例えば、ステッピングモータ、ＤＣモータ、超音波モータなどにより実現できる。
【００２７】
操作リング３１５は、交換レンズ３０１の外面に備わる操作部材である。操作リング３１５は、交換レンズ３０１に対して相対的に回転するように構成されている。操作リング３１５の回転位置や、回転速度は不図示の検出部により検出されて、レンズコントローラ３２０に通知される。レンズコントローラ３２０は、通知された操作リング３１５の回転位置や回転速度に基づいて、ズームレンズ３１２の駆動部に対して駆動制御信号を供給することができる。操作リング３１５の操作によって、ズームレンズ３１２を駆動させるよう、レンズコントローラ３２０はズームレンズ駆動部３１３に駆動制御信号を供給する。
【００２８】
ボディマウント３４０は、交換レンズ３０１が備えるレンズマウント３３０と相俟って、交換レンズ３０１およびデジタルカメラボディ１０２を機械的及び電気的に接続するための接続部材である。交換レンズ３０１とデジタルカメラボディ１０２とが機械的および電気的に接続されると、レンズコントローラ３２０と、コントローラ１３０とは通信可能な状態となる。ボディマウント３４０は、コントローラ１３０から受信した露光同期信号やその他制御信号を、レンズマウント３３０を介してレンズコントローラ３２０に通知する。また、ボディマウント３４０は、レンズマウント３３０を介してレンズコントローラ３２０から受信した信号をコントローラ１３０に通知する。
【００２９】
ＣＣＤイメージセンサ１４３は、交換レンズ３０１を通して形成された被写体像を撮像して画像情報を生成する。ＣＣＤイメージセンサ１４３の受光面には、多数のフォトダイオードが２次元的に（マトリクス状に）配列されている。また、各フォトダイオードに対応して、Ｒ（赤）、Ｇ（緑）またはＢ（青）の原色カラーフィルターが配置されている。Ｒ、ＧおよびＢの原色カラーフィルターは、所定の配列構造で配置されている。撮像対象となる被写体からの光は、交換レンズ３０１を通過した後に、ＣＣＤイメージセンサ１４３の受光面に結像される。結像された被写体像は、各フォトダイオードへ入射した光量に応じて、Ｒ、ＧまたはＢに仕分けられたそれぞれの色情報に変換される。その結果、被写体像全体を示す画像情報が生成される。各フォトダイオードは、ＣＣＤイメージセンサ１４３の画素に対応する。しかし、各フォトダイオードから実際に出力される色情報は、Ｒ、Ｇ、Ｂのいずれかの原色情報である。そのため、各画素のそれぞれで発現させるべき色は、後段のデジタル画像・音声処理部１２０において、各画素に対応するフォトダイオードおよび、その周辺のフォトダイオードから出力される原色情報（色、光量）に基づき生成される。なお、ＣＣＤイメージセンサ１４３は、デジタルカメラ１００が撮影モードにあるとき、一定時間ごとに新しいフレームの画像情報を生成することができる。
【００３０】
ＡＦＥ１４４では、ＣＣＤイメージセンサ１４３から読み出された画像情報に対して相関二重サンプリングによる雑音抑圧、アナログゲインコントローラによるＡ／Ｄコンバータの入力レンジ幅への増幅、Ａ／ＤコンバータによるＡ／Ｄ変換が施される。その後、ＡＦＥ１４４は、画像情報をデジタル画像・音声処理部１２０に出力する。
【００３１】
音声入力系１１０は、マイクロホン部１１１およびアナログ音声処理部１１５を備える。マイクロホン部１１１は、マイクロホン１１１Ｌ、１１１Ｒを含む。マイクロホン部１１１は、音響信号を各マイクロホンにより電気信号に変換して、アナログ音声処理部１１５に入力する。アナログ音声処理部１１５は、処理した音声信号をＡ／ＤコンバータによりＡ／Ｄ変換し、デジタル画像・音声処理部１２０に出力する。
【００３２】
デジタル画像・音声処理部１２０は、ＡＦＥ１４４から出力された画像情報およびアナログ音声処理部１１５から出力された音声信号に対して各種の処理を施す。例えば、デジタル画像・音声処理部１２０は、コントローラ１３０からの指示に従って、画像情報に対してガンマ補正やホワイトバランス補正、傷補正、符号化処理等を行う。また、デジタル画像・音声処理部１２０は、コントローラ１３０からの指示に従って、音声信号に対する各種処理を行う。デジタル画像・音声処理部１２０は、ハードワイヤードな電子回路で実現してもよいし、プログラムを実行するマイクロコンピュータなどで実現してもよい。デジタル画像・音声処理部１２０は、コントローラ１３０などと一体的に１つの半導体チップとして実現してもよい。
【００３３】
デジタル画像・音声処理部１２０は、マイクロホン部１１１の出力である音声信号を演算処理してフィルタ処理や指向性合成処理を行う。音声信号のフィルタ処理および指向性合成処理についての詳細な説明は後述する。
【００３４】
表示部１９０は、デジタルカメラ１００の背面に配置される。本実施の形態では、表示部１９０は、液晶ディスプレイである。表示部１９０は、デジタル画像・音声処理部１２０にて処理された画像情報に基づく画像を表示する。表示部１９０が表示する画像には、スルー画像、再生画像、制御選択画面、警告画面および電源終了画面などがある。スルー画像は、ＣＣＤイメージセンサ１４３により一定時間ごとに連続的に新たに生成されるフレームの画像である。通常は、デジタルカメラ１００が撮影モードに設定されており、かつ静止画撮影を行っていない待機状態、または動画撮影状態にあるときに、デジタル画像・音声処理部１２０がＣＣＤイメージセンサ１４３の生成した画像情報からスルー画像を生成する。使用者は、表示部１９０に表示されるスルー画像を参照することにより、被写体の構図を確認しながら被写体を撮影できる。再生画像は、デジタルカメラ１００が再生モードにあるときに、デジタル画像・音声処理部１２０により生成される。再生画像は、外部記憶媒体１６０等に記録された高画素の記録画像を、表示部１９０のサイズに合わせて低画素に縮小した画像である。外部記憶媒体１６０に記録される高画素の画像情報は、レリーズ釦１８１が使用者による所定の操作を受け付けた後に、ＣＣＤイメージセンサ１４３が生成した画像情報に基づいてデジタル画像・音声処理部１２０により生成される。制御選択画面には、使用者が各種設定を選択決定するためのメニュー画面などがある。メニュー画面で選択決定可能な各種設定の中には、ＢＩＳ処理系１４９の制御モードを選択するＢＩＳ制御モード選択などがある。ＢＩＳ制御モード選択の詳細については後述する。メニュー画面は、例えば、スルー画像表示中に使用者が操作部１８０を操作することにより、表示される。静止画または動画の撮影中であるモードを撮影モードと呼ぶ。静止画または動画を撮影中でないときに表示部がスルー画像を表示するモードをライブモードと呼ぶ。表示部１９０が再生画像を表示するモードを再生モードと呼ぶ。表示部１９０がメニュー画面を表示するモードをメニューモードと呼ぶ。表示部１９０が表示する表示内容は、ビューファインダ１９１で表示することもできる。
【００３５】
コントローラ１３０は、デジタルカメラ１００全体の動作を統括制御する。
【００３６】
ＲＯＭ１７０は、コントローラ１３０が実行するための、オートフォーカス制御（ＡＦ制御）や自動露出制御（ＡＥ制御）、ストロボの発光制御などに関するプログラムの他、デジタルカメラ１００全体の動作を統括制御するためのプログラムを格納している。ＲＯＭ１７０は、デジタルカメラ１００に関する各種条件および設定を記憶する。なお、本実施の形態では、ＲＯＭ１７０は、フラッシュＲＯＭである。
【００３７】
コントローラ１３０は、ハードワイヤードな電子回路で実現してもよいし、プログラムを実行するマイクロコンピュータなどで実現してもよい。また、コントローラ１３０は、デジタル画像・音声処理部１２０などと一体的に１つの半導体チップとして実現してもよい。また、ＲＯＭ１７０は、コントローラ１３０の外部に（コントローラ１３０とは別体として）存在している必要はなく、コントローラ１３０の内部に組み込まれていてもよい。
【００３８】
ＲＡＭ１５０は、デジタル画像・音声処理部１２０およびコントローラ１３０のワークメモリとして機能する。ＲＡＭ１５０は、ＳＤＲＡＭやフラッシュメモリなどで実現できる。ＲＡＭ１５０は、画像情報および音声信号などを記録するための内部メモリとしても機能する。
【００３９】
外部記憶媒体１６０は、内部にフラッシュメモリ等の不揮発性の記録部を備えた外部メモリである。外部記憶媒体１６０は、デジタル画像・音声処理部１２０で処理される画像情報および音声信号などのデータを記録可能である。
【００４０】
操作部１８０は、デジタルカメラ１００の外装に配置される操作釦や操作ダイヤルなどの操作インターフェースの総称である。操作部１８０は、使用者による操作を受け付ける。例えば、図１および図２に示したレリーズ釦１８１、電源スイッチ１８３、モードダイヤル１８４、中央釦１８５および十字釦１８６などがこれにあたる。操作部１８０は、使用者による操作を受け付けると、コントローラ１３０に種々の動作を指示する信号を通知する。
【００４１】
レリーズ釦１８１は、半押し状態と全押し状態の二段階に遷移する押下式釦である。レリーズ釦１８１が使用者により半押しされると、コントローラ１３０は、ＡＦ（Ａｕｔｏ  Ｆｏｃｕｓ）制御および／またはＡＥ（Ａｕｔｏ  Ｅｘｐｏｓｕｒｅ）制御などを実行し、撮影条件を決定する。ＡＦ制御においては、デジタル画像・音声処理部１２０が画像情報の所定領域におけるコントラスト値を算出し、これに基づいてコントローラ１３０が交換レンズ３０１を駆動させ、コントラスト値が最大になるようにフィードバック制御を行う。ＡＦ制御の結果、コントローラ１３０は、ＡＦ制御対象の被写体までの焦点距離を得ることができる。また、ＡＦ制御の結果、交換レンズ３０１は、ＡＦ制御対象の被写体像をＣＣＤイメージセンサ１４３に結像させることができる。続いて、レリーズ釦１８１が使用者により全押しされると、コントローラ１３０は、全押しのタイミングに撮像された画像情報を外部記憶媒体１６０などに記録する。
【００４２】
電源スイッチ１８３は、デジタルカメラ１００の各部への電力供給をＯＮ／ＯＦＦするためのスライド式スイッチである。電源ＯＦＦ時に電源スイッチ１８３が使用者により右方にスライドされると、コントローラ１３０は、デジタルカメラ１００の各部に電力を供給し、各部を起動させる。電源ＯＮ時に電源スイッチ１８３が使用者により左方にスライドされると、コントローラ１３０は、デジタルカメラ１００の各部への電力供給を停止する。
【００４３】
モードダイヤル１８４は、回転式のダイヤルである。モードダイヤル１８４が使用者により回転されると、コントローラ１３０は、デジタルカメラ１００の動作モードを、モードダイヤル１８４の現在の回転位置に対応する動作モードに切り替える。動作モードとは、例えば、オート撮影モード、マニュアル撮影モード、シーン選択モードなどである。なお、オート撮影モード、マニュアル撮影モードおよびシーン選択モードを、総称して撮影モードと呼ぶものとする。
【００４４】
中央釦１８５は、押下式釦である。デジタルカメラ１００が撮影モードあるいは再生モードにあるときに、中央釦１８５が使用者により押下されると、コントローラ１３０は、表示部１９０にメニュー画面を表示する。メニュー画面とは、使用者に様々な撮影条件および再生条件を設定させるための画面である。メニュー画面上で使用者により各種条件の設定項目の値が選択されている状態で中央釦１８５が押下されると、その設定項目がその値に決定される。決定された設定は、ＲＯＭ１７０に記憶される。
【００４５】
十字釦１８６は、上下左右方向に設けられた４つの押下式釦を備える。使用者は、十字釦１８６のいずれかの方向の釦を押下することにより、メニュー画面上に表示される各種条件の設定項目の値を選択することができる。
【００４６】
〔２．ＢＩＳ制御モード選択〕
動いている電車の中や、三脚で固定されていない状況など、デジタルカメラボディ１０２のぶれが大きい環境で撮影する際には、そのぶれが、撮影した映像にあまり影響しないように、ＢＩＳ処理系１４９によるＣＣＤイメージセンサ１４３の位置シフトの動きは、必要に応じて早く、また必要に応じて大きいことが望ましい。また、その動きの周波数特性は平坦であることが望ましい。このように、ＢＩＳ機能を最大限に発揮するＢＩＳ制御モードを「ＢＩＳ優先モード」と呼ぶ。
【００４７】
動画を撮影する際には、ＢＩＳ処理系１４９によるＣＣＤイメージセンサ１４３の位置シフトの際に発生する振動や音が大きく記録される恐れがある。従って、周囲騒音が小さいコンサートホールの中や、三脚で固定されていて振動が無視できるような状況など、静かで、またデジタルカメラボディ１０２のぶれが殆ど発生しないような環境で撮影する際には、ＢＩＳ処理系１４９によるＣＣＤイメージセンサ１４３の位置シフトの動きは、遅く、また小さいことが望ましい。また、その動きの周波数特性は、平坦であることよりも、発生する音や振動が小さくなるような特性であることが望ましい。このように、ＢＩＳ制御による振動や音が、動画に大きく記録されないように、動画音声品質を優先したＢＩＳ制御モードを「音声優先モード」と呼ぶ。音声優先モードでは、ＢＩＳ優先モードの場合に比べて、ＢＩＳ処理系１４９によるＣＣＤイメージセンサ１４３の位置シフトの動きが遅く、また小さくなっている。このため、音声優先モードでは、動画音声品質の向上と引き換えに、手振れの影響を受けやすくなる可能性がある。
【００４８】
使用者は、操作部１８０を操作して、ＢＩＳ制御モードについて、ＢＩＳ優先モードにするか、音声優先モードにするかを選択して動画を撮影することができる。
【００４９】
使用者が音声優先モードを選択した場合、ＢＩＳ処理部１４７は、ＢＩＳ優先モードを選択した場合よりもＣＣＤイメージセンサ１４３の位置シフトの動きが遅くなるよう、ＣＣＤ駆動部１４５を制御する。これにより、音声優先モードでは、ＢＩＳ優先モードと比べて手振れ補正機能が低下する。
【００５０】
一方、使用者がＢＩＳ優先モードを選択した場合、ＢＩＳ処理部１４７は、音声優先モードを選択した場合よりもＣＣＤイメージセンサ１４３の位置シフトの動きが速くなるよう、ＣＣＤ駆動部１４５を制御する。これにより、ＢＩＳ優先モードでは、音声優先モードと比べて手振れ補正機能が向上する。
【００５１】
ＢＩＳ優先モードで撮影された動画ファイルは、再生時において、先述のように、撮影時のＢＩＳ制御による振動や音が大きいため、その音や振動が再生音として耳障りに聞こえる可能性が高い。音声優先モードで撮影された動画ファイルは、再生時において、先述のように、撮影時のＢＩＳ制御による振動や音が比較的小さいため、その音や振動が再生音として耳障りに聞こえる可能性が低い。
【００５２】
〔３．動作〕
続いて、本実施の形態におけるデジタルカメラ１００の動作の概要について説明する。
【００５３】
図４は、実施の形態１に係るデジタルカメラ１００の音声信号の周波数フィルタ処理選択の動作の流れを示すフローチャートである。デジタル画像・音声処理部１２０はマイクロホン部１１１の出力である音声信号を演算処理して周波数フィルタ処理を施す。一般的に、音の周波数特性は、周波数フィルタ処理が平坦に近く原音に忠実な周波数特性であることが、高音質のために望ましいことが知られている。従って、使用者が、操作部１８０を操作して、音声優先モードを選択して動画を撮影する場合、デジタル画像・音声処理部１２０が音声信号に施す周波数フィルタ処理は平坦に近いフラットな周波数特性であることが望ましい。一方で、従来から、音声信号のＳ／Ｎ比を向上させる目的で帯域制限フィルタを利用することが知られている。使用者が、操作部１８０を操作して、ＢＩＳ優先モードを選択して動画を撮影する場合、先述のように、ＢＩＳ制御による振動や音が大きいが、これらを記録した音は、聴きたい目的の音でなく騒音である。これらのＢＩＳ駆動による騒音は、小さく抑えることが望ましい。従って、使用者が、操作部１８０を操作して、ＢＩＳ優先モードを選択して動画を撮影する場合、動画ファイルに記録されるＢＩＳ駆動による騒音を小さく抑える目的で、デジタル画像・音声処理部１２０が音声信号に施す周波数フィルタ処理は、高音域と低音域とが下がった凸型の周波数特性である帯域制限フィルタを利用することが望ましい。
【００５４】
デジタルカメラ１００の音声信号の周波数フィルタ処理選択の動作の流れを図４で説明する。音声信号の周波数フィルタ処理選択のステップＳ４０１において、使用者が、デジタルカメラ１００の操作部１８０を操作して、ＢＩＳ優先モードを選択した場合、ステップＳ４０２に移行する。ステップＳ４０１において、使用者が、デジタルカメラ１００の操作部１８０を操作して、ＢＩＳ優先モードを選択しなかった場合（音声優先モードを選択した場合）、ステップＳ４０３に移行する。ステップＳ４０２において、コントローラ１３０は、音声信号に施す周波数フィルタ処理が高音域と低音域とが下がった凸型の周波数特性となるように、デジタル画像・音声処理部１２０を制御して、ステップＳ４０４に移行する。ステップＳ４０３において、コントローラ１３０は、音声信号に施す周波数フィルタ処理が平坦に近いフラットな周波数特性となるように、デジタル画像・音声処理部１２０を制御して、ステップＳ４０４に移行する。ステップＳ４０４において、使用者が、デジタルカメラ１００の操作部１８０を操作して、動画の撮影を開始した場合には、音声信号の周波数フィルタ処理選択を終了する。そうでない場合には、ステップＳ４０１に移行する。
【００５５】
このように、ＢＩＳ優先モードを選択して動画撮影を行う場合、音声信号に施す周波数フィルタ処理が高音域と低音域とが下がった凸型の周波数特性となるようにしている。このため、記録される動画の音声信号中にＢＩＳ駆動による騒音が含まれる場合でも、その駆動騒音を小さく抑えることができ、音声信号の目的音を聴きやすくすることができる。
【００５６】
次に、指向性合成処理について説明する。デジタル画像・音声処理部１２０はマイクロホン部１１１の出力である音声信号を演算処理して指向性合成処理を施す。
【００５７】
一般的に、デジタルカメラに内蔵されるマイクロホンは、それ自体には指向性が無い。指向性が無いことを「無指向性」と呼ぶ。
【００５８】
一般的に、左右に並んだ２つのマイクロホンを録音に用いる場合、動画記録における音声信号の記録方式は、左チャネル（Ｌｃｈ）と右チャネル（Ｒｃｈ）の２つのチャネルを有するステレオ方式である。また、一般的に、臨場感が豊かな音を得る目的で、左方に指向性を有する信号をＬｃｈとし、右方に指向性を有する信号をＲｃｈとする。こうすることで、再生時に、左方から来た音が左チャネルから大きく聴こえ、右方から来た音が右チャネルから大きく聴こえるので、臨場感が豊かな音を聴くことが出来る。このように指向性を制御する処理をステレオ処理と呼ぶ。一方で、ＬｃｈとＲｃｈとが同じ信号になるように指向性を制御する処理をモノラル処理と呼ぶ。モノラル処理は、臨場感は低いが、後述するように、目的音を聴きやすくする（Ｓ／Ｎ比を大きくする）効果がある。
【００５９】
図５は、実施の形態１に係るデジタルカメラ１００の音声信号の指向性合成処理の例を示す図である。
【００６０】
図５（ａ）は、Ｌｃｈ出力を得るための指向性合成処理を示す図である。デジタルカメラ１００の右方から来る音波は、先に右側のマイクロホン１１１Ｒに到達して、その後、時間τ１後に、左側のマイクロホン１１１Ｌに到達する。マイクロホン１１１Ｒとマイクロホン１１１Ｌとの距離がｄ、音波の速度をｃとすると、τ１は式（１）のように示すことができる。
【００６１】
τ１＝ｄ／ｃ    ・・・式（１）
まず、ステレオ処理について説明する。
【００６２】
右側のマイクロホン１１１Ｒの出力をτ１だけ遅延させて、この結果を左側のマイクロホン１１１Ｌの出力から引くと、右方から来る音波に対する出力は相殺される。遅延器６０１は、時間τ１の遅延を、マイクロホン１１１Ｒの出力に与える。乗算器６０２は、遅延器６０１の出力にマイナス１（−１）を掛ける。つまり乗算器６０２は、出力を反転する。加算器６０３は、マイクロホン１１１Ｌの出力に乗算器６０２の出力を加算して出力する。すなわち、加算器６０３の出力は、マイクロホン１１１Ｌの出力から遅延器６０１の出力を減算したものに等しい。乗算器６０４は、加算器６０３の出力に１を掛けて、Ｌｃｈ出力を得る。以上の処理により、右方から来る音波に対して感度が低いＬｃｈ用の出力が、得られる。このように、ある方向からの音波に対して極めて感度が低い指向性のことを「単一指向性」と呼ぶ。
【００６３】
図５（ｂ）は、Ｒｃｈ用の出力を得る為の指向性合成処理を示す図である。左右が逆になっていること以外は、図５（ａ）と同様の処理である。すなわち、遅延器６０５は、時間τ１の遅延を、マイクロホン１１１Ｌの出力に与える。乗算器６０６は、遅延器６０５の出力にマイナス１（−１）を掛ける。つまり、乗算器６０６は、出力を反転する。加算器６０７は、マイクロホン１１１Ｒの出力に乗算器６０６の出力を加算して出力する。すなわち、加算器６０７の出力は、マイクロホン１１１Ｒの出力から遅延器６０５の出力を減算したものに等しい。乗算器６０８は、加算器６０７の出力に１を掛けて、Ｒｃｈ用の出力を得る。以上の処理により、左方から来る音波に対して感度が低いＲｃｈ用の出力が得られる。
【００６４】
ステレオ処理により得られるＬｃｈおよびＲｃｈの出力は、上述のように、左方および右方に指向性を持つため、臨場感が豊かな音を得ることが出来る。しかし、一方で、加算器６０３および加算器６０７で、信号が減算されているため、Ｓ／Ｎ比が小さくなり目的の音が聞こえにくくなる恐れがある。
【００６５】
次に、モノラル処理について説明する。
【００６６】
図５（ａ）において、遅延器６０１は、時間ゼロの遅延をマイクロホン１１１Ｒに与える。すなわち、遅延器６０１は、遅延させない。乗算器６０２は、遅延器６０１の出力にプラス１（＋１）を掛ける。つまり、乗算器６０２は、出力を変えない。加算器６０３は、マイクロホン１１１Ｌの出力に乗算器６０２の出力を加算して出力する。すなわち、加算器６０３の出力は、マイクロホン１１１Ｌの出力とマイクロホン１１１Ｒの出力とを足し合わせたものに等しい。乗算器６０４は、加算器６０３の出力に０．５を掛けて、Ｌｃｈ用の出力を得る。つまり、ここで得られるＬｃｈ用の出力は、マイクロホン１１１Ｌの出力とマイクロホン１１１Ｒの出力との平均値である。
【００６７】
図５（ｂ）において、遅延器６０５は、時間ゼロの遅延をマイクロホン１１１Ｌに与える。すなわち、遅延器６０５は、遅延させない。乗算器６０６は、遅延器６０５の出力にプラス１（＋１）を掛ける。つまり、乗算器６０６は、出力を変えない。加算器６０７は、マイクロホン１１１Ｒの出力に乗算器６０６の出力を加算して出力する。すなわち、加算器６０７の出力は、マイクロホン１１１Ｌの出力とマイクロホン１１１Ｒの出力とを足し合わせたものに等しい。乗算器６０８は、加算器６０７の出力に０．５を掛けて、Ｒｃｈ用の出力を得る。つまり、ここで得られるＲｃｈ用の出力は、マイクロホン１１１Ｌの出力とマイクロホン１１１Ｒの出力との平均値である。
【００６８】
このように、モノラル処理により得られるＬｃｈ用およびＲｃｈ用の出力は、上述のとおり、どちらもマイクロホン１１１Ｌの出力とマイクロホン１１１Ｒの出力との平均値である。その結果、左方や右方に指向性を持たないため、臨場感は低い。しかし一方で、加算器６０３および加算器６０７でそれぞれの信号が足し合わされているため、Ｓ／Ｎ比が大きくなり目的の音が聞きやすくなる効果がある。また、モノラル処理により得られるＬｃｈ用およびＲｃｈ用の出力の指向性は、きわめて無指向性に近い。つまり、ステレオ処理とモノラル処理との違いは、単一指向性と無指向性との違いとも言える。また、図５（ａ）において、遅延器６０１の遅延量を変えたり、乗算器６０２が信号に乗算する値を変えたりすることで、単一指向性と無指向性との間の指向性を得ることも出来る。
【００６９】
図６は、実施の形態１に係るデジタルカメラ１００の音声信号の指向性合成処理選択の動作の流れを示すフローチャートである。図６に示すように、音声信号の指向性合成処理選択のステップＳ５０１において、使用者が、デジタルカメラ１００の操作部１８０を操作して、ＢＩＳ優先モードを選択した場合、ステップＳ５０２に移行する。ステップＳ５０１において、使用者が、デジタルカメラ１００の操作部１８０を操作して、ＢＩＳ優先モードを選択しなかった場合（音声優先モードを選択した場合）、ステップＳ５０３に移行する。ステップＳ５０２において、コントローラ１３０は、音声信号に施す指向性合成処理がモノラル処理となるように、デジタル画像・音声処理部１２０を制御して、ステップＳ５０４に移行する。ステップＳ５０３において、コントローラ１３０は、音声信号に施す指向性合成処理がステレオ処理となるように、デジタル画像・音声処理部１２０を制御して、ステップＳ５０４に移行する。ステップＳ５０４において、使用者が、デジタルカメラ１００の操作部１８０を操作して、動画の撮影を開始した場合には、音声信号の指向性合成処理選択を終了する。そうでない場合には、ステップＳ５０１に移行する。
【００７０】
このように、ＢＩＳ優先モードを選択して動画撮影を行う場合、音声信号に施す指向性合成処理がモノラル処理となるので、Ｓ／Ｎ比が大きくなり目的の音が聞きやすくなる。すなわち、記録される動画の音声信号中にＢＩＳ駆動騒音が含まれる場合でも、その駆動騒音を小さく抑えることができる。
【００７１】
次に、音声信号のゲインフィルタ処理について説明する。
【００７２】
マイクロホン部１１１が収音した音声信号を、動画ファイルにどのレベルで記録するかは、アナログ音声処理部１１５、および／または、デジタル画像・音声処理部１２０のアンプのゲイン（音声記録ゲイン）による。一般的に、音声記録ゲインは、周囲の音圧によらず固定すること（リニアリティを保つこと）が、高音質のために望ましいことが知られている。
【００７３】
動画ファイルに記録されるＢＩＳ駆動による騒音が、再生時に、耳障りが悪く聞こえるかどうかは、撮影時の周囲の音響環境（周囲音圧）により異なる。静かな環境であれば、ＢＩＳ駆動による騒音が比較的目立ち、耳障りが悪く聞こえる。逆に、ロックコンサートのような大音量がある環境の場合、それらの大きな音にＢＩＳ駆動による騒音は掻き消されて、耳障りは悪く聞こえない。音声信号のゲインフィルタ処理で、静かなときの音声記録ゲインを、大音量のときの音声記録ゲインより小さくすると、静かなときに記録されるＢＩＳ駆動による騒音を小さくして耳障りを良くすることが出来る。つまり、周囲音圧が低くＢＩＳ駆動による騒音が目立つ場合は、リニアリティとのトレードオフがあっても、音声記録ゲインを下げて、ＢＩＳ駆動騒音を小さく記録して耳障りを良くすることが望ましい。
【００７４】
図７は、実施の形態１に係るデジタルカメラ１００の音声信号のゲインフィルタ処理の例を示す図である。
【００７５】
図７（ａ）は、周囲音圧によらず音声記録ゲインが固定である場合の、音声信号のゲインフィルタ処理による周囲音圧−音声記録ゲイン特性の例を示す図である。周囲音圧が変わっても、音声記録ゲインは変わらない（リニアリティ確保）。
【００７６】
図７（ｂ）は、周囲音圧が低いときに音声記録ゲインを下げる場合の、音声信号のゲインフィルタ処理による周囲音圧−音声記録ゲイン特性の例を示す図である。周囲音圧が低くなると、音声記録ゲインが下がる（リニアリティ非確保）。
【００７７】
使用者が、操作部１８０を操作して、ＢＩＳ優先モードを選択して動画を撮影する場合、先述のように、ＢＩＳ制御による振動や音が大きいが、動画に記録されるＢＩＳ駆動による騒音は、耳障りにならないことが望ましい。従って、使用者が、操作部１８０を操作して、ＢＩＳ優先モードを選択して動画を撮影する場合、動画ファイルに記録されるＢＩＳ駆動による騒音を小さく抑える目的で、デジタル画像・音声処理部１２０が音声信号に施すゲインフィルタ処理は、例えば図７（ｂ）に示すような、リニアリティ非確保の処理とする。
【００７８】
使用者が、操作部１８０を操作して、音声優先モードを選択して動画を撮影する場合、先述のように、ＢＩＳ制御による振動や音が小さいので、動画に記録されるＢＩＳ駆動による騒音が耳触りに聞こえる可能性は低い。従って、使用者が、操作部１８０を操作して、音声優先モードを選択して動画を撮影する場合、デジタル画像・音声処理部１２０が音声信号に施すゲインフィルタ処理は、例えば図７（ａ）に示すような、リニアリティ確保の処理とする。
【００７９】
図８は、実施の形態１に係るデジタルカメラ１００の音声信号のゲインフィルタ処理選択の動作の流れを示すフローチャートである。デジタル画像・音声処理部１２０はマイクロホン部１１１の出力である音声信号を演算処理してゲインフィルタ処理を施す。デジタルカメラ１００の音声信号のゲインフィルタ処理選択の動作の流れを図８で説明する。音声信号のゲインフィルタ処理選択のステップＳ８０１において、使用者が、デジタルカメラ１００の操作部１８０を操作して、ＢＩＳ優先モードを選択した場合、ステップＳ８０２に移行する。ステップＳ８０１において、使用者が、デジタルカメラ１００の操作部１８０を操作して、ＢＩＳ優先モードを選択しなかった場合（音声優先モードを選択した場合）、ステップＳ８０３に移行する。ステップＳ８０２において、コントローラ１３０は、音声信号に施すゲインフィルタ処理が、例えば図７（ｂ）に示すようなリニアリティ非確保の処理となるように、デジタル画像・音声処理部１２０を制御して、ステップＳ８０４に移行する。ステップＳ８０３において、コントローラ１３０は、音声信号に施すゲインフィルタ処理が、例えば図７（ａ）に示すようリニアリティ確保の処理となるように、デジタル画像・音声処理部１２０を制御して、ステップＳ８０４に移行する。ステップＳ８０４において、使用者が、デジタルカメラ１００の操作部１８０を操作して、動画の撮影を開始した場合には、音声信号のゲインフィルタ処理選択を終了する。そうでない場合には、ステップＳ８０１に移行する。
【００８０】
このように、ＢＩＳ優先モードを選択して動画撮影を行う場合、音声信号に施すゲインフィルタ処理は、周囲音圧が低い場合に、音声記録ゲインを下げて、ＢＩＳ駆動による騒音を小さく記録して、騒音が耳障りに聞こえる可能性を低下させることができる。
【００８１】
〔４．本発明との対応関係〕
デジタルカメラ１００は、本開示の撮像装置の一例である。ＣＣＤイメージセンサ１４３は、本開示の撮像部の一例である。ＢＩＳ処理系１４９は、本開示の手振れ補正部の一例である。マイクロホン部１１１は、本開示の収音部の一例である。コントローラ１３０は、本開示の制御部の一例である。ＢＩＳ優先モードは、本開示の第１モードの一例である。音声優先モードは、本開示の第２モードの一例である。
【００８２】
〔他の実施の形態〕
本発明は、上記実施の形態に限定されず、種々の実施形態が考えられる。以下、本発明の他の実施の形態についてまとめて記載する。
【００８３】
上記実施の形態において、収音装置を備えた撮像装置としてデジタルカメラ１００を例に挙げて説明した。しかしながら、撮像センサの位置がシフトする方式の手振れ補正が可能であり、動画撮影（音声記録）が可能な機器であればよい。すなわち、ビデオカメラであってもよい。
【００８４】
上記実施の形態において、ＢＩＳ優先モードを選択するかどうかは、使用者が操作部１８０を操作して選択するとしたが、必ずしもそうでなくて良い。すなわち、ジャイロセンサ１４８の出力信号を用いて、ＢＩＳ処理部１４７やコントローラ１３０が、ＢＩＳ優先モードを選択するかどうかを選択しても良い。
【００８５】
上記実施の形態において、ＢＩＳ優先モードであるかどうかにより変わる音声信号の処理選択は、周波数フィルタ処理選択、指向性合成処理選択、ゲインフィルタ処理選択、の３つであるとしたが、必ずしもそうでなくて良い。すなわち、ＢＩＳ優先モードであるかどうかにより変わる音声信号の処理選択は、周波数フィルタ処理選択、指向性合成処理選択、ゲインフィルタ処理選択、の３つのうちの、任意の１つ、または任意の２つであっても良い。
【００８６】
上記実施の形態において、指向性合成処理選択で取りうる選択肢は、モノラル処理（無指向性）またはステレオ処理（単一指向性）としたが、それに限らない。例えば、単一指向性と無指向性との中間の特性にするような無指向化処理でも良い。
【００８７】
上記実施の形態において、デジタル画像・音声処理部１２０およびコントローラ１３０は、各々上記のような機能および構成を有するものとして説明したが、各々の持つ機能および構成の一部が他方に含まれるような構成としてもよい。
【００８８】
上記実施の形態において、ＣＣＤイメージセンサ１４３を、撮像部の一例として説明したが、本発明はこれに限定されない。すなわち、ＣＭＯＳイメージセンサや、ＮＭＯＳイメージセンサなど他の撮像素子であっても本開示に適用可能である。
【産業上の利用可能性】
【００８９】
本開示は、手振れ補正機能及び収音機能を備えた、デジタルカメラ、ムービーカメラなどの撮像装置に適用することが可能である。
【符号の説明】
【００９０】
１００  デジタルカメラ
１０２  デジタルカメラボディ
１０５  ＨＤＭＩ出力端子
１１０  音声入力系
１１１  マイクロホン部
１１１Ｌ  マイクロホン
１１１Ｒ  マイクロホン
１１５  アナログ音声処理部
１２０  デジタル画像・音声処理部
１３０  コントローラ
１４０  画像入力系
１４３  ＣＣＤイメージセンサ
１４５  ＣＣＤ駆動部
１４６  位置センサ
１４７  ＢＩＳ処理部
１４８  ジャイロセンサ
１４９  ＢＩＳ処理系
１５０  ＲＡＭ
１６０  外部記憶媒体
１７０  ＲＯＭ
１８０  操作部
１８１  レリーズ釦
１８３  電源スイッチ
１８４  モードダイヤル
１８５  中央釦
１８６  十字釦
１９０  表示部
１９１  ビューファインダ
３０１  交換レンズ
３１０  フォーカスレンズ
３１１  フォーカスレンズ駆動部
３１２  ズームレンズ
３１３  ズームレンズ駆動部
３１５  操作リング
３１６  絞り
３１７  絞り駆動部
３１８  ＯＩＳレンズ
３１９  ＯＩＳ制御部
３２０  レンズコントローラ
３２１  ＤＲＡＭ
３２２  フラッシュメモリ
３３０  レンズマウント
３４０  ボディマウント
６０１  遅延器
６０２  乗算器
６０３  加算器
６０４  乗算器
６０５  遅延器
６０６  乗算器
６０７  加算器
６０８  乗算器
【図１】
2017195558.tif 000003
【図２】
2017195558.tif 000004
【図３】
2017195558.tif 000005
【図４】
2017195558.tif 000006
【図５】
2017195558.tif 000007
【図６】
2017195558.tif 000008
【図７】
2017195558.tif 000009
【図８】
2017195558.tif 000010